(57)【要約】  低侵襲治療、血管外科術、及び心臓学の分野において血管造影処置のための工具を保持するための手術器具配置工具（１）であって、患者が、脚が広げられた状態で横たわっている場合に、平均的なサイズの患者（２）を少なくとも鼠径部から足の領域に至るまで覆うために配置された手術用ドレープであって、配置表面（１３）のために配置された手術用ドレープ（１０）と、略水平方向の上向きに露出した底部表面（２７）を有するポーチ部材（２０）であって、前記ポーチ部材（２０）が、前記患者（２）の広げられた脚の下に延在するように、前記手術用ドレープ（１０）の足側端部（１２）に取り付けられ、好ましくは、横たわっている平均的なサイズの患者（２）の足を越えて水平方向に突出しており、前記ポーチ部材（２０）が二重の湾曲底部表面（２１）及び縁部（２２）を提供する垂直方向の壁部分（２８）を有しており、前記縁部（２２）が前記ポーチ部材（２０）の前記上向きに露出した底部表面（２７）の一部を露出することを提供する、ポーチ部材（２０）と、好ましくは、前記手術用ドレープ（１０）の上向きに露出した表面に取り付けられる複数の工具ホルダー（３０，３１）であって、前記患者（２）の広げられた脚の間の空間を横断する方向に延在している複数の工具ホルダー（３０，３１）と、を備える手術器具配置工具（１）。
2013502295.tif 000002
【特許請求の範囲】
【請求項１】
低侵襲治療、血管外科術、及び心臓学の分野において血管造影術のための工具を保持するための手術器具配置工具（１）であって、
‐平均的なサイズの患者（２）を少なくとも鼠径部から足の領域に至るまで覆うために配置された手術用ドレープ（１０）であって、前記患者が、脚が広げられた状態で横たわっている場合に、前記患者の脚の間に配置表面（１３）のために配置される手術用ドレープ（１０）と、
‐略水平方向の上向きに露出した底部表面（２７）を有するポーチ部材（２０）であって、前記ポーチ部材（２０）が、前記患者（２）の広げられた脚の下に延在するように、前記手術用ドレープ（１０）の足側端部（１２）に取り付けられ、好ましくは、横たわっている平均的なサイズの患者（２）の足を越えて水平方向に突出するポーチ部材（２０）と、
を備えており、
前記ポーチ部材（２０）が、二重の湾曲底部表面（２１）及び縁部（２２）を提供する垂直方向の壁部分（２８）を有し、前記縁部（２２）は、前記ポーチ部材（２０）の前記上向きに露出した底部表面（２７）の一部を露出することを提供することを特徴とする、手術器具配置工具。
【請求項２】
少なくとも１つの工具ホルダー（３０〜３１’）、好ましくは複数の工具ホルダー（３０〜３１’）は、前記手術用ドレープ（１０）の前記配置表面（１３）に取り付けられることを特徴とする請求項１に記載の手術器具配置工具。
【請求項３】
二重の湾曲壁（２８）は、垂直方向の半径（ｒ２）より略大きい水平方向の半径（ｒ１）を有することを特徴とする請求項２に記載の手術器具配置工具。
【請求項４】
弓形部材（２３）が、前記二重の湾曲底部表面（２１）の形状を維持するために前記ポーチ部材（２０）に位置することを特徴とする請求項１〜３のいずれか一項に記載の手術器具配置工具。
【請求項５】
前記弓形部材（２３）は、前記平均的なサイズの患者（２）の広げられた脚の間で水平方向に延在する２つの端部（２４、２４’）を有し、前記手術用ドレープ（１０）は、前記端部（２４、２４’）の少なくとも最端部を受容し、且つ保持するための部材（１４，１４’）を有することを特徴とする請求項４に記載の手術器具配置工具。
【請求項６】
前記工具ホルダー（３０〜３１’）は、略櫛状であるが、櫛歯（３２）を有しており、該櫛歯（３２）がそれらの根元部（３４）よりそれらの先端部（３３）でより厚くなっており、それによって、前記櫛歯（３２）の間の空間（３５）は、前記根元部（３４）より前記先端部（３３）でより小さくなることを特徴とする請求項２〜５のいずれか一項に記載の手術器具配置工具。
【請求項７】
前記工具ホルダー（３０〜３１’）は、弾性材料から製造されることを特徴とする請求項６に記載の手術器具配置工具。
【請求項８】
前記櫛歯（３２）の間の前記空間（３５）の数は、約５〜１５であることを特徴とする請求項６又は７に記載の手術器具配置工具。
【請求項９】
前記工具ホルダー（３０〜３１’）の前記櫛歯（３２）の間の少なくともいくつかの空間（３５）のは、色分けされることを特徴とする請求項６〜８のいずれか一項に記載の手術器具配置工具。
【請求項１０】
前記工具ホルダー（３０〜３１’）は、両側に接着剤を有するテープによって、前記手術用ドレープ（１０）に取り付けられることを特徴とする請求項６〜９のいずれか一項に記載の手術器具配置工具。
【請求項１１】
前記手術用ドレープ（１０）の前記上向きに露出した表面（１３）及び／又は前記ポーチ部材（２７）は、前記工具ホルダー（３０〜３１’）を取り付けるための推奨された位置で印付けされることを特徴とする請求項６〜１０のいずれか一項に記載の手術器具配置工具。
【請求項１２】
前記手術用ドレープ（１０）は、前記足側端部（１２）に加えて、反対側の上端（１１）を有し、前記上端（１１）は前記手術器具配置工具を前記患者に接着するための接着装置（１５）を有しており、該接着装置（１５）は、好ましくは取り外し可能な保護フィルムを装着していることを特徴とする請求項１〜１１のいずれか一項に記載の手術器具配置工具。
【請求項１３】
前記手術用ドレープ（１０）の前記上端（１１）での前記接着装置（１５）は、前記患者（２）を横断する幅で延在するのに十分であることを特徴とする請求項１２に記載の手術器具配置工具。
【請求項１４】
前記手術用ドレープ（１０）の前記上端（１１）は、前記患者（２）のへそに向けて延在しているウィング（１６）を有することを特徴とする請求項１２又は１３に記載の手術器具配置工具。
【請求項１５】
前記手術用ドレープ（１０）及び／又は前記ポーチ部材（２０）は、ラミネート、好ましくは繊維状表面層によって覆われたプラスチックフィルムの中間層を有するラミネートから製造されることを特徴とする請求項１〜１４のいずれか一項に記載の手術器具配置工具。
【請求項１６】
１つ又は複数の硬化部材（２６）が、その所望された形状を維持するのを援助するために、前記ポーチ部材（２０）で配置されることを特徴とする請求項１６に記載の手術器具配置工具。
【請求項１７】
外科手術チームが特別な長さのテーブルで手術する場合に、低侵襲治療、血管外科術、及び心臓学の分野において血管造影術のための工具を保持する工具ホルダーであって、
前記工具ホルダー（３０）は、略櫛状であるが、櫛歯（３２）を有しており、前記櫛歯（３２）は、それらの根元部（３４）よりそれらの先端部（３３）でより厚くなっており、それによって、前記櫛歯（３２）の間の空間（３５）が前記根元部（３４）より前記先端部（３３）でより小さくなり、
前記工具ホルダー（３０）を任意の有益な表面、例えば請求項１〜１６のいずれか一項に画定されたようなドレープ（１０）に接着させるための、前記工具ホルダー（３０）に配置された接着剤を有する背面側を有することを特徴とする工具ホルダー。
【請求項１８】
前記工具ホルダーは、弾性材料から製造され、且つ好ましくは、前記工具ホルダー（３０）の前記櫛歯（３２）の間の少なくともいくつかの空間（３５）が色分けされることを特徴とする請求項１７に記載の工具ホルダー。
【請求項１９】
前記櫛歯（３２）の間の空間（３５）の数が、約５〜１５であり、好ましくは１０であることを特徴とする請求項１７又は１８に記載の工具ホルダー。
【発明の詳細な説明】
【技術分野】
【０００１】
本願発明は、低侵襲治療（ｉｎｖａｓｉｖｅ  ｒａｄｉｏｌｏｇｙ）、血管外科術（ｖａｓｃｕｌａｒ  ｓｕｒｇｅｒｙ）、及び心臓学の分野において血管造影術（ａｎｇｉｏｇｒａｐｈｉｃ  ｐｒｏｃｅｄｕｒｅｓ）のための工具を保持する手術器具配置工具（ｓｕｒｇｉｃａｌ  ｉｎｓｔｒｕｍｅｎｔ  ｐｌａｃｅｍｅｎｔ  ｔｏｏｌ）に関する。
【０００２】
本願発明はまた、外科手術チームが特別な長さのテーブルで手術する場合に、低侵襲治療、血管外科術、及び心臓学の分野において血管造影術のための工具を保持する工具ホルダーに関する。
【０００３】
さらに、本願発明は、そのような工具ホルダーのパックに関する。
【背景技術】
【０００４】
カテーテル、スプリングガイドワイヤ、バルーン、及びステントの使用は、低侵襲治療、血管外科術、及び心臓学の分野において急速に増加している。数百万の処置は、血管内技術で血管疾患を治療するという増加傾向が存在するので、世界の至る所で毎年実施されている。これは、血管外科術の分野で特に顕著であり、該血管外科術の分野において、第一選択治療（ｆｉｒｓｔ  ｌｉｎｅ  ｔｒｅａｔｍｅｎｔ）のための血管内方法を選択するという増加傾向が存在する。
【０００５】
血管内器具（ｅｎｄｏｖａｓｃｕｌａｒ  ｉｎｓｔｒｕｍｅｎｔ）は主に、導入器、カテーテル、スプリングガイドワイヤ、ステント、及びバルーンである。その長さが数センチメートルから３メートルまでの異なる長さ及び異なる直径の多くの種類の工具が存在する。大部分の処置において、少なくとも７〜８つの工具が使用され、多くの他の場合、１０〜２０つ以上の工具が使用される。
【０００６】
血管及び他の管腔器官（ｈｏｌｌｏｗ  ｏｒｇａｎ）への安全なアクセスを得るために、セルジンガー技術（Ｓｅｌｄｉｎｇｅｒ  ｔｅｃｈｎｉｑｕｅ）は、多くの場合で使用される医療処置である。それは、スウェーデン人放射線技師であるスヴェン‐アイヴァー  セルディンガー医師にちなんで名付けられており、セルディンガー医師は、１９５３年にその医療処置を導入した。
【０００７】
所望された血管又はギャビティは、必要に講じて、超音波誘導装置とともに、外套針（ｔｒｏｃａｒ）と呼ばれる鋭い中空の針で穴あけされる。先端が円形のスプリングガイドワイヤは次いで、外套針の内腔を通じて進行され、そして、外套針は引き抜かれる。外科用メスで皮膚の穴あけを拡大した後、鋭くない拡張装置（ｂｌｕｎｔ  ｄｉｌａｔｏｒ）は、キャビティ又は血管内にガイドワイヤの上を通過させることができる。次いで、カテーテルの先端部は、スプリングガイドワイヤを使用して血管内にねじ込まれる。カテーテルを最終的な居住位置（ｄｗｅｌｌｉｎｇ  ｐｏｓｉｔｉｏｎ）内に進めた後で、スプリングガイドワイヤは引き抜かれる。
【０００８】
血管内工具は殺菌されており、それらの可撓性及び長さに起因して、それらの血管内工具を非殺菌状態にさせることなく、１つの場所でそれらの血管内工具を保持する（「それらの血管内工具は、使用期間を有する」）ことが、問題である。それらの血管内工具は、落下し、又は多くの場合、非殺菌状態になる。それらの血管内工具が、一人の人間によって扱われ、且つ適切な方法で保持されることは、難しい。それらの費用は非常に高く、処置中におけるそれらの工具の喪失は、経済的影響を有する。それらの可撓性及び長さに起因して、操作者は、より多くのアシスタントを必要とし、何度も工具を扱うことに挑む。多くの場合、２〜３人の人間が、長いカテーテル／ワイヤを保持するために必要とされる。
【０００９】
研究室／血管撮影室／手術室の多くは、それらの工具が使用されない場合に単純なテーブル上にそれらの工具を載置している。これは明らかに、問題を解決しない。数人の看護婦は、ワイヤをそれらのマガジンに戻す（時間のかかる非実用的な解決法）。
【００１０】
それらの適所でそれらの器具を維持するために、すなわち、いくつかの手（看護婦／アシスタント）を自由にし、且つ工具の落下又はその非殺菌状態を避けることができる、いくつかの配置工具の形態の解決方法を有する現実的な必要性が存在する。それは、実際の処置において最も重要である。現在、そのような工具ホルダーが存在しない。
【００１１】
特許文献１には、手術器具を保持するために、互いに面する複数のポケットを有する手術用ドレープが開示されている。特許文献２には、処置中に医療装置を維持するための複数のループを有する手術用ドレープが開示されている。特許文献３には、必要とされた手術用ハンドピース（ｓｕｒｇｉｃａｌ  ｈａｎｄ  ｐｉｅｃｅｓ）、電力チューブ、流体チューブ、ケーブル、及び接続の全てが、単一の使い捨てパッケージ内に組み込まれる、内蔵型の手術用チューブ管理システムが開示されている。該システムは殺菌シートを含み、該殺菌シートは、患者の身体の少なくとも一部を覆っており、複数のポケットを有し、器具を含み、且つ位置付けるポケット及び固定具を有する。それによって、それらの器具は、手術工程中に容易にアクセス可能となる。それらのいずれも満足すべき方法における既存の必要性に満たしていない。
【先行技術文献】
【特許文献】
【００１２】
【特許文献１】米国特許第４，４７６，８６０号明細書
【特許文献２】米国特許第５，０１０，８９９号明細書
【特許文献３】米国特許第５，４６４，０２５号明細書
【発明の概要】
【発明が解決しようとする課題】
【００１３】
本願発明の主な目的は、低侵襲治療、血管外科術、及び心臓学の分野において血管造影術のための工具を保持する手術器具配置工具を提供することである。
【課題を解決するための手段】
【００１４】
その目的は、前記外科手術器具配置工具が、
‐患者が、脚が広げられた状態で横たわっている場合に、平均的なサイズの患者を少なくとも鼠径部から前記患者の足の領域に至るまで覆うために配置された手術用ドレープと、
‐前記患者の広げられた脚の下部に対する水平方向の位置で、前記手術用ドレープの足側端部に取り付けられた水平方向のポーチ部材（ｐｏｕｃｈ  ｍｅｍｂｅｒ）であって、垂直方向の二重の湾曲底部表面と、垂直方向上向きに面する開放側と、を有する、水平方向のポーチ部材と、好ましくは、
‐手術用ドレープの上向きに露出した表面に取り付けられた複数の工具ホルダーであって、患者の広げられた脚の間の空間を横断する方向に延在している複数の工具ホルダーと、
を備える本願発明に従って達成される。
【００１５】
垂直方向の二重の湾曲底部表面の結果、特に複数の工具ホルダーとの組み合わせで、そのような配置工具は大抵の場合、非常に長く、且つ弾力のある血管内器具をそれらの適所に維持するであろう。これは、いくつかの手（看護婦／助手）を自由にしており、且つ工具の落下及び該工具が非殺菌状態になることを避けるであろう。
【００１６】
長く、弾力のある器具の使用を容易にするために、ポーチ部材は、横たわっている平均的なサイズの患者の足を超えて水平方向に突出してもよい。該ポーチ部材の突出の適切な寸法は、約０．５ｍであり、その結果、二重の湾曲底部表面は、約０．５ｍの水平方向の直径を有する。
【００１７】
好ましくは、弓状部材は、二重の湾曲底部表面の形状を維持するために、ポーチ部材に位置する。
【００１８】
該弓状部材は適切には、横たわっている平均的なサイズの患者の広げられた脚の間で水平方向に延在している２つの端部を有し、該手術用ドレープは、前記端部の少なくとも最端部を受容し、且つ保持するための２つのポケットを有する。該端部の重量をポーチ部材及び弓状部材の弓状中心部分の組み合わされた重量と釣り合わせることによって、ポーチ部材は、手術台の足側端部から片持ち梁方式で水平方向に突出するであろう。
【００１９】
長く、弾力のある器具及び他の手術器具がそれらの長手方向において移動することを妨げることなく、長く、弾力のある器具及び他の手術器具を保持するために、工具ホルダーは適切には、略櫛状であるが、それらの根部よりそれらの先端部でより厚くなっている櫛歯を有しており、それによって、櫛歯の間の空間が該根部より前記先端部でより小さくなる。
【００２０】
該工具ホルダーは好ましくは、ゴム、又は類似の弾性材料から製造される。該空間の両側の櫛歯の先端部が、長く、弾力のある器具及び他の手術器具の挿入時に互いから離れて押圧されると、それらの器具を該工具ホルダー内に取り付けることを容易にし、且つそれらの器具は、工具ホルダー内で保持されるであろう。単一のハンドグリップは、工具ホルダー内にそれらの器具を挿入し、且つその工具ホルダーからそれらの器具を取り除くために十分である。
【００２１】
大部分の処置において、少なくとも７〜８つの工具が使用されるので、櫛歯の間の空間の数は適切には、約１０である。
【００２２】
工具ホルダー内の長く、弾力のある器具及び他の手術工具の取付、及びその後の長く、弾力のある器具及び他の手術工具の扱いを容易にするために、工具ホルダーの櫛歯の間の少なくともいくつかの空間は、色分けされてもよい。
【００２３】
好ましくは、工具ホルダーは、両側に接着剤を有するテープによって、手術用ドレープに取り付けられる。
【００２４】
手術用ドレープの上向きに露出した内部表面は、適切な位置で取付を容易にするように、工具ホルダーを取り付けるための推奨された位置で印付けされてもよい。
【００２５】
前記足側端部に加えて、手術用ドレープは、反対側の上端を有し、配置工具を患者に固定するために、上端は、それらに接着された両側に接着剤を有するテープの一片の一の側と、配置工具を患者に接着するための取り外し可能な保護フィルムを装着している他の側と、を有する。
【００２６】
配置工具を患者にしっかりと保持させるために、手術用ドレープの上端でのテープの長さは、３０〜５０ｃｍ（１２〜２０インチ）の患者を横断する幅で延在するのに十分である。必要に応じて、手術用ドレープの上端は、患者のへそに向けて延在しているウィングを有してもよい。
【００２７】
柔らかく、固く、且つ強くするために、手術用ドレープは、繊維状表面層によって覆われたプラスチックフィルムの中間層を有するラミネートから製造される。
【００２８】
同様に、ポーチ部材は、柔らかく、固く、且つ強くなるべきであり、繊維状表面層によって覆われたプラスチッフィルムの中間層を有するラミネートから製造される。該プラスチックフィルムは好ましくは、ポーチ部材の形状の維持を容易にするために、埋め込まれた繊維によって強化される。代替的には、又はその上、１つ又は複数の硬化部材は、その所望された形状を維持するのを援助するために、ラミネートのポーチ部材内に設けられてもよく、又はラミネートのポーチ部材に接着されてもよい。該ポーチ部材のプラスチックとともに、硬化部材は、溶着によって手術用ドレープに取り付けられることができる。
【００２９】
本願発明の他の目的は、外科手術チームが特別な長さのテーブルで手術する場合に、低侵襲治療、血管外科術、及び心臓学の分野において血管造影術のための工具を保持する工具ホルダーを提供することである。
【００３０】
この目的は、前記工具ホルダーが略櫛状であるが、櫛歯を有し、該櫛歯は、それらの根部よりその先端部でより厚くなっており、それによって、前記櫛歯の間の空間が前記根部より前記先端部でより小さくなっており、前記工具ホルダーが、それらに接着された取り付けられた両面に接着剤を有するテープの一片の一の側を有する背面側を有し、例えば一般的な殺菌ドレープなどの任意の有益な表面に該工具ホルダーを接着するための、取り外し可能な保護フィルムを装着する他の側を有する、本願発明に従って達成される。
【００３１】
少なくとも１つの工具ホルダーの使用の結果、多くの場合非常に長く、弾力のある血管内器具をそれらの適所に維持することは、容易とされるであろう。これは、いくつかの手（看護婦／助手）を自由にし、且つ工具の落下及び該工具が非殺菌状態になることを避けるのを援助するであろう。
【００３２】
上述したように、好ましくは、工具ホルダーは、弾性材料から製造されており、櫛歯の間の空間の数は、約１０であり、且つ適切には、工具ホルダーの前記櫛歯の間の少なくともいくつかの空間が色分けされている。
【００３３】
工具ホルダーが別々に獲得され、且つ本願発明の手術器具配置工具内に含まれない場合、４つの工具ホルダーを含むパックが最も多くの要求を満たすように思われる。４つの工具ホルダーは、長く、弾力のある器具がループを形成することを可能にするように、容易に位置付けられることができ、それらの器具が、それらの長手方向において移動可能とされるが、工具ホルダーにおいて依然として比較的安全に維持される。
【００３４】
以下において、本願発明は、好ましい実施形態及び添付した図面を参照してより詳細に記載されるであろう。
【図面の簡単な説明】
【００３５】
【図１】血管内器具が配置工具に保持されている状態で、手術台上に横たわっている患者に位置付けられた本願発明の手術器具配置工具の好ましい実施形態の概略的な斜視図である。
【図２】垂直方向の二重の湾曲底部表面と、垂直方向上向きに面する開放側とを有し、且つその形状を維持することを容易にするために、補強部を有する、図１の配置工具内に含まれる水平方向のポーチ部材の概略的な斜視図である。
【図３】２つの歯の間の空間を貫通するスプリングガイドワイヤを有する、図１の配置工具内に含まれる略櫛状の工具ホルダーの概略的な斜視図である。
【図４】患者の脚及び患者の腹部の下部を覆っている図１の手術器具配置工具を有する、手術台上に横たわっている患者の下部の概略的な平面図である。
【発明を実施するための形態】
【００３６】
［本願発明を実行するためのモード］
図１は、本願発明の手術器具配置工具１の好ましい実施形態の概略的な斜視図を示す。該手術器具配置工具１は、患者の脚が手術台３上に真直ぐに広げられた状態で、仰向けに横たわっている患者２に位置付けられる。患者の上部が覆われていないように示されるけれども、現実の世界では、普通、一般的な病院の慣行に従って、殺菌ドレープによって本質的に覆われているだろう。血管内器具４は、該手術器具配置工具１に保持されるように示されており、例えば経皮的に、又は皮膚を通じて患者２の大きな血管内に導入されるように示されている、又は該血管内に導入される。一般的に、選択された血管は、鼠径部に隣接して見つけられた大腿動脈又は大腿静脈である。例えば、大腿動脈へのアクセスは、冠血管、頚動脈、及び脳の血管造影術のために必要とされる。血管内器具４がカテーテルとされる場合、該カテーテルは、血管内バルーン、ステント、又はコイルを挿入するために使用されることができる。ステント及びコイルは、白金などの微細ワイヤ材料からなり、それらが適所に案内されると、所定の形状に膨脹されることができる。当然ながら、示された器具が血管内器具とされるけれども、本願発明は、低侵襲治療、血管外科術、及び心臓学の分野において血管造影術のための他の工具をも保持するのに有益である。
【００３７】
該配置工具１は、
‐配置表面１３を提供するために、患者が、脚が広げられた状態で横たわる場合に、平均的なサイズの患者２を少なくとも鼠径部から患者の足の領域に至るまで覆うための手術用ドレープ１０と、
‐略水平方向の上向きに露出された底部表面２７を有するポーチ部材（ｐｏｕｃｈ  ｍｅｍｂｅｒ）２０であって、該ポーチ部材２０が、患者２の広げられた脚の下部まで延在するように、手術用ドレープ１０の足側端部１２に取り付けられており、前記ポーチ部材２０が、二重の湾曲底部表面２１及び縁部２２を提供する垂直方向の壁部分２８を有し、該縁部２２は、前記ポーチ部材２０の前記上向きに露出された底部表面２７の一部を露出することを提供する、ポーチ部材２０と、好ましくは、
‐手術用ドレープ１０の上向きに露出された表面１３に取り付けられた複数の工具ホルダー３０、３０’、３１、３１’であって、患者２の広げられた脚の間の空間を横断する方向に延在する、複数の工具ホルダー３０、３０’、３１、３１’と、
を備える。
【００３８】
図１及び図４に示されるように、ポーチ部材２０は、横たわっている平均なサイズの患者２の足を超えて水平方向に、一般的に約０．５ｍ（好ましくは０．３ｍ〜０．８ｍの範囲）とされる距離だけ突出する。さらに、二重の湾曲底部表面２１は実質的に、略同じ長さである水平方向の直径（すなわち、図４に見られる、ｒ１の２倍）を有する。ポーチ部材２０は、任意の方法で、例えば接着剤で及び／又は溶着（プラスチック）で、手術用ドレープ１０に取り付けられる別個のユニットとして製造されてもよい。
【００３９】
ポーチ部材２０の略水平方向の上向きに露出された底部表面２７は、手術用ドレープ１０の上向きに露出された略水平方向の下部表面１３の平面と同一平面において実質的に延在している。手術用ドレープ１０の下部表面１３の背面は通常、手術台３の上部表面に直接的に載っており、すなわち、露出された表面１３、２７を手術台３の上面と同じ高さで位置付ける。示された実施形態において、手術用ドレープ１０の下部表面１３は、脚カバー部分１７と一体化されており、該脚カバー部分１７は、上向きに延在している内側壁１７’を形成しており、該内側壁１７’は、工具の配置のための実用的な空間を形成するように、下部表面１３を部分的に取り囲む。類似の方法において、ポーチ部材２０はまた、その領域内に（必要に応じて）工具の配置のための空間を提供しており、壁部材２８の縁部２２に関して中央に位置付けられるように、その領域内で露出される。垂直方向の二重の湾曲底部表面２１を示す壁部材２８を形成することによって、多くの場合非常に長く、弾力のある手術器具は、作業空間、すなわち、手術用ドレープ１０の脚部分１７とポーチ部材の壁部分２８とによって囲まれた空間から離れて逃れることを妨げる。これは、いくつかの手（看護婦／アシスタントの手）を自由にし、且つ工具の落下又は工具の非殺菌状態になることを避けるであろう。さらに、該壁１７’、２８は好ましくは、それらが配置領域１３、２７を全体的に取り囲むように配置されてもよく、それによって、液体が漏れることを妨げる。
【００４０】
二重の湾曲底部表面２１は、比較的大きな半径ｒ１を有する第１の湾曲を有する。該第１の湾曲は、壁部分２８の内側表面２１のＵ字形状を形成し、（壁部分２８の全ての部分が略同一の厚さを有し、外側周囲が図４における上方から見られるようにＵ字形状であるので、）長く、弾力のある手術器具を滑らかに連続的に曲げることを可能にする。さらに、二重の湾曲底部表面２１は、横断方向において内側表面２１に沿って、比較的小さい半径ｒ２を有する第２の湾曲を有する。該第２の湾曲は、壁部分２８の内側表面２１の断面設計によって形成されるチャンネル内に、長く、弾力のある器具を保持するために、（図２に見られる）側面から見られるＵ字形状（及び外側Ｕ字形状周囲）を提供する。半径ｒ２は好ましくは、２０ｍｍから１００ｍｍの範囲内であるが、当業者にとって、所望な保持機能、すなわち、滑らかなＵ字形状から逸脱する形状、例えば、極端な実施形態において、矩形状の角部を有するＵ字形状を有する形状を得るために、その表面の断面形状の多くの多様性が、使用されてもよいことは、明白である。
【００４１】
図４には、少なくとも略水平面において、二重の湾曲底部表面２１の形状を維持するために、ポーチ部材２０に位置する弓状部材２３が示される。該弓状部材２３は、任意の適切な形状及び材料、例えばプラスチックバー又はチューブから形成されてもよい。図４に示された実施形態において、弓状部材２３は、横たわっている平均的なサイズの患者２の広げられた脚の間で水平方向に延在している２つの端部２４、２４’を有する。前記端部２４、２４’の少なくとも最端部は、例えば、手術用ドレープ１０に設けられた２つのポケット１４、１４’内に受容され、且つ保持される。図４の実施形態において、それらのポケットは、横たわっている平均的なサイズの患者２の広げられた脚のふくらはぎの最も厚い部分と略同じ高さで、該最も厚い部分に近接して、且つ該最も厚い部分の間で、すなわち、配置表面１３と内側壁部材１７との間の遷移領域において、位置している。ポーチ部材２０及び弓状部材２３の弓状中心部分（ａｒｃｕａｔｅ  ｃｅｎｔｒａｌ  ｐｏｒｔｉｏｎ）の組み合わされた重量に対して端部２４、２４’の重量を釣り合わせることによって、ポーチ部材２０は、手術台３の足側端部から片持ち梁方式で水平方向に突出するであろう。さらに、図４において、参照符号２’は、患者２の大腿動脈又は大腿静脈などの大きな血管内への血管内器具４の導入のための考えられる位置を明示する。
【００４２】
図１及び図４に示された実施形態において、４つの工具ホルダー３０〜３１’が使用されているが、必要に応じて、より多い数又はより少ない数の工具ホルダーを使用することは可能である。示された４つの工具ホルダー３０〜３１’は、手術用ドレープ１０に取り付けられており、第１の対の工具ホルダー３０、３０’がポケット１４、１４’のちょうど内側で直線状のラインを形成し、第２の対の工具ホルダー３１、３１’が、互いから離隔して位置しており、手術台３の足側端部のちょうど内側で平行なラインを形成している。それらの位置で、ポーチ部材２０が手術用ドレープ１０に取り付けられる。当然ながら、４つの工具ホルダー３０〜３１’は、必要に応じて他の位置で手術用ドレープ１０に取り付けられてもよい。
【００４３】
図３に示された好ましい実施形態において、工具ホルダー３０〜３１’は、略櫛歯形状に形成されているが、櫛歯３２を有しており、該櫛歯３２は、それらの根元部３４よりそれらの先端部３３でより厚くなっている。それによって、櫛歯３２の間の空間３５は、根元部３４より先端部３３でより小さくなっている。
【００４４】
それによって、長く、弾力のある手術器具４及び他の手術工具は、それらの長手方向に移動することを妨げることなく、安全に保持されることができる。
【００４５】
工具ホルダー３０〜３１’は好ましくは、ゴム又は類似の弾性材料から製造されており、より好ましくは、重量及び費用を減少させるであろう多孔性種類の材料から形成される。空間３５の両側の櫛歯の先端部３３が工具ホルダー３０〜３１’内への長く、弾力のある手術器具４及び他の手術工具の挿入時に、互いから離れるように押圧されるであろう。それは、工具ホルダー３０〜３１’内に手術器具４を取り付けることを容易にし、且つ手術器具４は、工具ホルダー３０〜３１’に保持されるであろう。単一のハンドグリップ（ｓｉｎｇｌｅ−ｈａｎｄ  ｇｒｉｐ）は、工具ホルダー３０〜３１’内に手術器具を挿入し、且つ工具ホルダー３０〜３１から手術器具を取り除くのに十分である。
【００４６】
いくつかの処置において、１０〜２０つの工具又はそれ以上の工具が使用されるが、大部分の処置において少なくとも７〜８つの工具が使用されるので、櫛歯３２の間の空間３５の数は、約１０とされる。
【００４７】
工具ホルダー３０〜３１’内への長く、弾力のある手術器具４及び他の手術工具の取付、及びその後のそれらの保持を容易にするために、工具ホルダー３０〜３１’の櫛歯の間の少なくともいくつかの空間３５は、色分けされてもよい（図示せず）。
【００４８】
好ましくは、工具ホルダー３０〜３１’は、その両側に接着剤を有するテープ（図示せず）によって手術用ドレープ１０に取り付けられるが、必要に応じて、当然ながら、いくつかの他の取付方法を使用することは可能である。
【００４９】
手術用ドレープ４の上向きに露出された内部表面は、適切な位置での取付を容易にするために、工具ホルダー３０〜３１’を取り付けるための推奨された位置で印付けされてもよい。図面において、適切な位置は別々に示されていないが、最も多くの場合において、図１及び図４に示された位置は、適切な位置である。
【００５０】
前記足側端部１２に加えて、手術用ドレープ１０は、反対側の上端１１を有する。配置工具１を患者２に固定するために、上端１１は、それに接着された接着剤をその両側に有するテープ１５の一片の一の側と、該保護フィルムの除去の後で配置工具１を患者２に接着させるための、示されていない除去可能な保護フィルムを装着している他の側と、を有している。
【００５１】
配置工具１を患者にしっかりと保持させるために、手術用ドレープ１０の上端１５でのテープ１５の長さは、３０〜５０ｃｍ（１２〜２０インチ）の患者を横断する幅で延在するのに十分とされる場合がある。必要に応じて、手術用ドレープ１０の上端１１は、患者２のへそに向かって延在しているウィング１６を有してもよい。該ウィング１６は、手術のための手術台上に患者を準備する場合に、指示、必要に応じて方向に関する指示を装着してもよい。
【００５２】
柔らかく、固く（ｔｉｇｈｔ）、且つ強くなるように、手術用ドレープ１０は好ましくは、可撓性を有するラミネート、それ自体が周知であり、且つ手術用ドレープとして既に使用される種類の可撓性を有するラミネートから製造される。この可撓性を有するラミネートは、繊維状表面層によって覆われたプラスチックフィルムの中間層を有する。例として、該フィルムは、液体不透過性ポリエチレンフィルムとされてもよく、上部繊維状表面層は、液体吸収性不織布材料とされてもよい。患者２に面する底部繊維状表面層は、汗を吸収することによって、且つプラスチックフィルムと患者の肌の直接的な接触を妨げることによって、患者の快適性を高めるために、紙綿（ｃｅｌｌｕｌｏｓｅ  ｗａｄｄｉｎｇ）又は同様のものとされてもよい。しかしながら、所望された機能性を提供するために、複数の層及びその中の材料の多くの他の組み合わせは、可能である。
【００５３】
同様に、ポーチ部材２０は、柔らかく、固く、且つ強くなるべきであり、可撓性を有するラミネートから製造される。ここで使用されたラミネートは、患者の肌と接触状態にならず、それによって紙綿又は同様のものの底部層が必要とされてなくてもよい。それ故に、ポーチ部材２０で使用されたラミネートは、繊維状表面層によって覆われたプラスチックフィルムの底部層を有してもよい。手術用ドレープ１０などで、フィルムは、液体不透過性ポリエチレンフィルムとされてもよく、上部繊維状表面層は、液体吸収性不織布材料又は不織布とされてもよい。多くの用途のために、例えば、一体化ユニットとしてそれらを多かれ少なかれ製造するために、手術用ドレープ１０などのラミネートと同一のラミネートをポーチ部材２０で使用することは、好ましい。しかしながら、ポーチ部材２０の所望された形状を維持するために配置するように、ラミネート、例えば、プラスチックフィルムと一体化したラミネートは、ポーチ部材の形状の維持を容易にするために、ガラス繊維又はポリエステル織物などの埋め込まれた繊維によって強化されてもよい。代替的には、又はその上、１つ又は複数の硬化部材２６は、その所望された形状を維持するのを援助するために、ラミネートポーチ部材２０内に設けられてもよく、又はラミネートポーチ部材２０に接着されてもよい。
【００５４】
さらに、所望の形状が、所望の形状及び強度を形成するために、ラミネート（好ましくは、ある程度の弾性を有する）の打抜き及び接着によって生み出されることは、予見されている。
【００５５】
図２に示された実施形態において、ポーチ部材２０の略垂直方向の底部には、複数の略垂直方向の硬化部材（ｓｔｉｆｆｅｎｉｎｇ  ｍｅｍｂｅｒ）２６が設けられている。硬化部材２６は、ポーチ部材の底部の外側プラスチックフィルム側又は内側繊維状表面層側、又はその両方の側に位置してもよい。例として、それらは、プラスチック材料が硬化する、又は凝固する、好ましくはその後弾性を提供するまで、ポーチ部材の底部上の硬化プラスチック材料又は凝固プラスチック材料の平行な延在（ｒｕｎｓ）を載置することによって、且つ底部の形状を維持することによって設けられてもよい。それによって、手術用ドレープ１０及び／又はポーチ部材２０は、その包装時に、平坦な形状を保つことができ、アンパック時にその意図した形状に自動的に拡張することができる。必要に応じて、当然ながら、硬化部材のネット構造を形成するために、互いを交差させる２つ以上の平行な延在（図示せず）を載置することはまた、可能である。代替的には、予備成形されたネット状の硬化部材（図示せず）がポーチ部材２０に取り付けられてもよい。ポリマーの技術分野における当業者にとって、平行な延在／硬化部材２６を製造するための適切なプラスチック材料の多くの多様性が存在することは、明白である。
【００５６】
弓状部材２３が使用され、且つ硬化部材２６がポーチ部材２０の底部表面２１の内側に位置する場合に、硬化部材２６は、示されていない実施形態において、弓状部材２３のための取付ポイントを提供するように形成されてもよい。そのような取付ポイントは、単純な浅い凹所として形成されてもよく、又はより複雑なスナップ接続部として形成されてもよい。さらに、弓状部材２３及び硬化部材が、その導入時に、可撓性を有するドレープ１０及びポーチ２０の所望される形状を提供することができるユニットを形成するために一体化されることは、予見されている。それ故に、そのような実施形態において、使い捨てのドレープ１０及び／又はポーチ部材２０を有することは、好ましいとされてもよいが、弓状部材２３／硬化部材２６は、再利用可能とされてもよい（それ故に、殺菌を容易にする材料で形成される）。
【００５７】
ポーチ部材２０のための好ましいラミネートは、手術用ドレープのための伝統的な種類である。しかしながら、所望の機能性、とりわけ十分な強度及び可撓性を提供するために、その層及び材料の多くの他の組み合わせは可能である。ポーチ部材２０におけるプラスチックフィルムは、気密性の目的ために有益とされてもよいだけではなく、溶着によって、ポーチ部材２０を手術用ドレープ１０に取り付けることを可能にさせてもよい。
【産業上の利用可能性】
【００５８】
本願発明による、手術器具配置工具、別個の工具ホルダー、それらのパックの最も重要な分野は、血管内手術（ｅｎｄｏｖａｓｃｕｌａｒ  ｓｕｒｇｅｒｙ）及び低侵襲治療とされるが、侵襲性心臓学とされる。末梢血管処置（ｐｅｒｉｐｈｅｒａｌ  ｖａｓｃｕｌａｒ  ｐｒｏｃｅｄｕｒｅ）及び中心血管処置（ｃｅｎｔｒａｌ  ｖａｓｃｕｌａｒ  ｐｒｏｃｅｄｕｒｅ）がこの工具から恩恵を受け、それらの処置における時間及び金銭の両方が抑制されるであろう。血管内手術は、放射線科医、神経科医、神経外科医、心臓病専門医、及び血管外科医によって実施される。該分野は、その最小限の低侵襲性技術が、より伝統的で、以前として高侵襲手術に対して迅速な利点を提供するので、急速に成長している。
【００５９】
本願発明は、上述したものに限定されないが、添付した特許請求の範囲の技術的範囲内で変更されてもよい。例えば、本願発明の主な機能、すなわちカテーテル及び他の長い器具が落下する、又は床に位置することを妨げる能力は、ドレープ及び／又はポーチ上に位置付けられた任意の工具ホルダーなしでも得られることは、明らかである。さらに、ドレープ及び／又はポーチが、所望の基本的な機能及を果たすために幅広のフレーム内で変化してもよいことは、明らかであり、異なる特性が、代替的なラミネート及び／又はラミネートの組み合わせ方法、及び／又はラミネートを接着する方法、及び／又は支持部材を取り付ける方法によって達成されてもよいことは、明らかである。例えば、互いに複数の層を接着させることを使用することによって、及び取り付けられた接着剤及び互いに接着される複数の層の量を変更することによって、性質を変更することが、例えば複数の種類の用途の異なる必要性に適合するように、達成されることができることは、明白である。
【００６０】
さらに、工具ホルダーが、例えば、異なるあらゆる態様に関して、必要性、及び／又は所望、及び／又は異なる基準、及び／又は異なる要求に応じて、幅広い範囲における異なる材料において製造されることができることは、明白である。例えば、世界中の少なくともいくつかの部分において、ますます注意を引き付ける一の態様は、環境の態様である。これゆえに、本願発明に関する明白な代替物は、多くの繊維製品及び実際には今日のポリマーのような生物学的に分離可能である材料を使用することである。好ましい実施形態において、本願発明の全ての部品は、使い捨てとされるべきであり、そのような場合において、当然ながら、そのような環境に優しい材料で製造された全ての部品を有することは、有利とされるであろう。さらに、略水平方向の位置においてポーチを保持するために所望された強度を達成するように、上記の支持装置２３以外の多くの他の手段、例えば例えば、ドレープ及びポーチの底部層における平坦で比較的厚い部分が使用されてもよいことは、明らかである。さらに、ドレープの脚部１７が（図面に示されるように）脚の上方の全てに到達する必要がないことは、明らかである。しかし、いくつかの用途／状況において、（例えば、それらを適所に保つためのテープと組み合わせて）内側部分１７’を単に提供するのに十分である。
【符号の説明】
【００６１】
１  手術器具配置工具
２  患者
３  手術テーブル
４  血管内器具
１０  手術用ドレープ
１３  配置表面、上向きに露出された表面、下部表面
１４、１４’  ポケット
１７  脚カバー部分、内側壁部材
１７’  上向きに延在している内側壁
２０  ポーチ部材
２１  二重の湾曲底部表面、内側表面
２２  縁部
２３  弓状部材
２４、２４’  端部
２７  略水平方向の上向きに露出された底面
２８  垂直方向の壁部分、壁部材
３０、３０’、３１、３１’  工具ホルダー
３２  櫛歯
３３  先端部
３４  根元部
３５  空間
ｒ１  第１の湾曲の半径
ｒ２  第２の湾曲の半径
【図１】
2013502295.tif 000003
【図２】
2013502295.tif 000004
【図３】
2013502295.tif 000005
【図４】
2013502295.tif 000006
【国際調査報告】
2013502295.tif 000007
2013502295.tif 000008
2013502295.tif 000009
2013502295.tif 000010
2013502295.tif 000011
2013502295.tif 000012